(57)【要約】  飲料容器キャリヤ（１）は、ハンドル（２）と複数の区画室（３）とを備え、各区画室が、飲料容器を少なくとも１つ収容するように適合している。ハンドルは、長手方向軸線を有し、運ばれる際、ほぼ垂直方向に向いた中心面（Ａ−Ａ’）を画定する。各区画室内に置かれた飲料容器の長手方向軸が前記中心面に対してそれぞれ斜めになるように、各区画室が前記中心面に対して配置されている。
2007532424.tif 000002
【特許請求の範囲】
【請求項１】
運ばれる際にほぼ垂直方向に向いた中心面を画定する、長手方向軸線に沿って配置されたハンドルと、複数の区画室とを備えており、
前記区画室の各々が飲料容器を少なくとも１つ支持するように適合していて、運ばれる際に、前記飲料容器の長手方向軸が前記中心面に対して斜めに配置される飲料容器キャリヤ。
【請求項２】
前記区画室の各々が、基部と、前記基部の反対側にある開口と、前記基部及び前記開口の間に延びる区画壁とを備えており、前記開口が、前記基部よりも上方に配置されると共に、前記中心面に対して前記基部より外方に配置されている、請求項１に記載の飲料容器キャリヤ。
【請求項３】
前記区画室の各々が飲料容器の側面を完全に取り囲むように構成されている、請求項１又は２に記載の飲料容器キャリヤ。
【請求項４】
前記区画室が前記中心面に対して対称的に配列されている、請求項１〜３のいずれか１項に記載の飲料容器キャリヤ。
【請求項５】
前記区画室が二列に配置され、前記中心面の各側に一列ずつ配列されている、請求項１〜４のいずれか１項に記載の飲料容器キャリヤ。
【請求項６】
前記列各々の区画室が一直線に並べられている、請求項５に記載の飲料容器キャリヤ。
【請求項７】
２つのセクションを備えており、前記セクションの各々が一列の区画室から構成されている、請求項１〜６のいずれか１項に記載の飲料容器キャリヤ。
【請求項８】
前記２つのセクションが同一である、請求項７に記載の飲料容器キャリヤ。
【請求項９】
前記セクションの各々が前記ハンドルの一部を構成している、請求項７又は８に記載の飲料容器キャリヤ。
【請求項１０】
前記セクションが分離時に積み重ね可能である、請求項７〜９のいずれか１項に記載の飲料容器キャリヤ。
【請求項１１】
前記区画室の各々が第１サイズの飲料容器を保持する大きさであり、前記区画室の基部のすぐ近くに支持部を備えており、前記支持部がより小さな第２サイズの飲料容器の周りに延びる大きさのカラー状である、請求項１〜１０のいずれか１項に記載の飲料容器キャリヤ。
【請求項１２】
前記キャリヤが射出成形プラスチックから形成されている、請求項１〜１１のいずれか１項に記載の飲料容器キャリヤ。
【請求項１３】
前記プラスチックが紫外線抵抗性添加剤を含む、請求項１２に記載の飲料容器キャリヤ。
【請求項１４】
前記プラスチックが帯電防止添加剤を含む、請求項１２又は１３に記載の飲料容器キャリヤ。
【請求項１５】
各区画室の少なくとも一部が開いた網型構造として形成されている、請求項１〜１４のいずれか１項に記載の飲料容器キャリヤ。
【発明の詳細な説明】
【技術分野】
【０００１】
本発明は、ハンドルと複数の区画室とを有し、各区画室が飲料容器、具体的にはボトルの収容に適合している飲料容器キャリヤに関するものである。本発明は、限定はしないが、特にスポーツ競技の際にチームのスポーツボトルを運ぶのに使用するため開発されたものであり、ここではそのような状況を考慮して説明する。しかしながら本発明はそのような使用法に限られるものではないことを理解されたい。
【背景技術】
【０００２】
屋内及び屋外のスポーツ競技時には、チームのコーチやトレーナー等の人物が水その他のスポーツ飲料のボトルを複数保持するようになったキャリヤを持って、競技エリアを走るのがよく見られる。このようなキャリヤは、ハンドルと、対になって配列される偶数個の区画室とを通常有し、各対の区画室は１つずつ、ハンドルが取り付けられた中心面の各側に配列される。典型的なキャリヤ装置は、４,６又は８個の区画室を備え、各区画室がボトルを１つ収容する。
【０００３】
市販されている大部分のボトルキャリヤは鋼線を使用して製作されている。一度製作が完了すると、ボトルキャリヤの鋼線骨格構造はプラスチック樹脂で被覆される。鋼線の被膜によりある程度さび止めされ、ユーザーは多少保護される。このようなボトルキャリヤは、特に屋外で使用される場合、紫外線その他の有害条件の攻撃を受けがちである。製品は、周期的に濡らされてはまた乾燥され、使用中及び運搬中にかなりの物理的損傷を受ける。もともと機械的強度の低いポリマー被膜は、かかる厳しい条件により更に弱体化され、ひび割れや剥離を始め、鋼線を部分的に露出させるようになる。これによりボトルキャリヤの清掃が難しくなり、また露出した鋼線は特に角部で錆び始めるので、ボトルキャリヤを運ぶ人間や、ボトルキャリヤからボトルを受け取るアスリートに負傷の危険を与える。
【０００４】
既存のボトルキャリヤは一般的には単一サイズのボトルしか運べず、また完全に装填した際に低負荷で変形しうるので、ユーザーが気楽に運ぶのは難しい。
【０００５】
コーチ及びトレーナーにとっては、試合の中断を最小にするように競技場に走り込んだり出たりするのが望ましいので、ボトルキャリヤはしばしば高速で搬送される。それゆえボトルキャリヤは、人間工学的に高速の運搬が容易であるように設計されるのが好ましい。
【発明の開示】
【課題を解決するための手段】
【０００６】
本発明は、
運ばれる際にほぼ垂直方向に向いた中心面を画定する、長手方向軸線に沿って配列されたハンドルと、複数の区画室とを備えており、
各区画室が飲料容器を少なくとも１つ支持するように適合していて、運ばれる際に、前記飲料容器の長手方向軸が前記中心面に対して斜めに配置される飲料容器キャリヤを提供する。
【０００７】
運ばれる際に飲料容器が垂直な中心面に対して傾斜しているので、キャリヤは、ボトルが垂直に支持されているものと比較して低い姿勢を有する。このことにより、完全に装填されたとき、特に急いでいる際でも、キャリヤはより容易に運ばれる。
【０００８】
特定の実施形態において、区画室の各々は、基部と、基部の反対側にある開口と、基部及び開口の間に延びる区画壁とを含んでおり、開口は、基部よりも上方に配置されると共に、中心面に対して基部より外方に配置されている。区画室壁は、網状又は織物材料等から形成される実質的に開放的な構造でもよく、あるいは中実又は部分的に中実であってもよい。
【０００９】
特定の実施形態において、区画室は、運ばれる際に、飲料容器の開口が配置された頂部が上向きに配置されると共に、各飲料容器が中心面から離れる方向に傾斜して並ぶように配列されている。通常、飲料容器の頂部は、アクセスを容易にすると共に漏れを防止するために上向き及び外向きに面していることが好ましい。しかしながら、飲料容器が下向きに面しているような有利な配列も存在しうる。例えば、ボトルがそれらの頂端にテーパ状の形を有している場合には、ハンドルの各側にあるボトルの列は、これらボトルの頂端がクロスオーバーしてコンパクトな梱包配置を提供するように、互い違いに配列されている。
【００１０】
特定の実施形態において、各区画室は、飲料容器の側辺を完全に取り囲むよう構成されている。これにより、キャリヤ運搬中の飲料容器の動きが最小限となる。
【００１１】
一形態において、区画室は二列に配列されており、中心面の各側に一列ずつ配置されている。
【００１２】
二列は相互にずれていてもよいが、区画室が中心面の各側で対称に、各列の区画室が一直線に並んで配列されているのが好ましい。
【００１３】
一形態において、キャリヤは２つのセクションを備えており、各セクションは一列の区画室から構成されている。２つのセクションは同一であることが好ましい。ハンドルは、別個の部品として形成してもよいが、各セクションがハンドルの一部を構成しているのが好ましい。
【００１４】
好適な実施形態において、スナップ式の接続により結合できる２つの同一な半部分により、キャリア全体が構成される。
【００１５】
好適な実施形態において、前記セクションは、分離している際には積み重ねられることができる。従って、分解されている際には、キャリヤのこれらセクションは容易に保管しかつ運搬することができる。
【００１６】
一形態において、各区画室は、第１サイズの飲料容器を保持できる大きさを有し、前記区画室の基部のすぐ近くに支持部を備えている。一形態において、前記支持部はカラー状であり、より小さな第２サイズの飲料容器を取り囲むのに必要な大きさを持つ。これにより、飲料容器キャリヤは、２つの異なるサイズの飲料容器を運ぶのに適応し、支持部が第１の飲料容器のための支持基台と、より小さなサイズの飲料容器のための囲繞支持体とを備え、運搬中の飲料容器の移動を最小限にする。
【００１７】
一形態において、キャリヤは、射出成形プラスチックから形成されている。特定の一形態において、プラスチックは紫外線抵抗性の添加剤をも含む。特定の一形態において、プラスチックは帯電防止添加剤も含む。特定の一形態において、各区画室は一部が開いた網型構造として形成されている。このことにより、キャリヤ内に飲料容器がある際、各飲料容器の外側を簡単に見ることができ、例えば、特定のアスリート用を対象とした飲料容器を容易に識別できるようになる。
【００１８】
ここで添付図面を参照して本発明の実施形態を説明すると都合がよい。図面及び関連記載の詳細事項は、先に述べた本発明の大まかな説明に優先するものではないと理解されたい。
【発明を実施するための最良の形態】
【００１９】
ボトルキャリヤ１の形式の飲料容器キャリヤは、ハンドル２と複数の区画室３とを有し、各区画室３がボトルを１つ収容して支持するように適合している。ハンドル２は中心面Ａ−Ａ’に配置され、前記中心面はボトルキャリヤ１が運ばれる際にほぼ垂直方向を向く。
【００２０】
これら区画室３は、中心面Ａ−Ａ’の各側に一列ずつ、対称的に２列に配列され、各列で区画室３が整列されている。図示した実施形態では、４つの区画室からなる列が２列であるが、ボトルキャリヤは、２つ又は３つの区画室からなる列を２列配置して、４つ又は６つの区画室を有していてもよい。８つを超える区画室を用いてもよいが、そうするとキャリヤは重くなり、運ぶのに扱いにくくなる。
【００２１】
図３に示したように、区画室３には角度が付けられていて、垂直な中心面Ａ−Ａ’に対して区画室３内に置かれたボトル４の長手方向軸Ｂが角度βで傾斜するようになっている。角度βの好ましい範囲は１５°〜４５°であり、より好ましくは２０°〜４０°であり、最適にはほぼ３０°である。区画室３はハンドル２から離れる方向に傾斜しているので、ボトル４の頂部がハンドル２の使用を邪魔することもなく、ハンドル２をより低い位置に配置することができる。このようにして、ハンドル２を、キャリヤ１の重心近くに配置することができる。
【００２２】
各区画室３は、前記区画室３内に置かれたボトル４を支持するための基部５を備え、前記基部５は、より小さなサイズのボトルに適合する寸法に作られたカラー６を有する。より小さなサイズのボトルの底を支持するため、カラー６の下方に支持部７が配置されている。カラー６の周辺が、より小さなサイズのボトルのための囲繞支持体となり、キャリヤ１の運搬時に区画室３内のより小さなサイズのボトルの移動を減じている。
【００２３】
区画室３の外側部分は、開き部８を含む開いた網型構造を有しており、区画室３内にボトルが置かれた際、前記開き部８によりボトル上のラベルが見えるようになっている。
【００２４】
ボトルキャリヤ１は、ポリプロピレンから射出成形されており、前記ポリプロピレンは太陽光線の攻撃からの保護と、埃の引き付けを防止して清掃を容易にするため、紫外線及び帯電防止添加剤を含んでいるのが好ましい。また、射出成形法により、団体やチームのカラー等の様々な色でキャリヤ１を形成できる。また、チームやスポンサーの名称のついたネームプレートをキャリヤ１の外側にクリップ止めすることも可能である。
【００２５】
キャリヤ１は、２つの同一の、対称形の半部分で形成され、この半部分は同一の逆半部分と組立てできるように設計されている。各半部分は、４つの区画室３とハンドル２の半分とを備えており、これら２つの半部分が中心面Ａ−Ａ’に沿って接合される。分離状態時には、簡易な保管及び搬送のため、並びに梱包に要するサイズを減じるために２つの半部分を積み重ねることができる。
【００２６】
ボトルキャリヤ１の２つの半部分をはめ合い部品の穴を介して互いに押し合わせると、一連の突起を用いた位置あわせ細部及びスナップ嵌めが、確実にキャリヤを通常の使用下での組立て状態に留める。スナップ嵌めは、１回のみの組立て用に設計されており、分解のための非破壊的手段を持ってはいない。
【００２７】
先行技術の公報についてのここでの言及は、前記公報が豪州国又はその他の国における当該技術分野で周知の知識の一部を形成することの承認とはならないことを理解されたい。
【００２８】
冒頭の特許請求の範囲及び本発明の以上における記載において、文脈が明白な言葉又は必然的な意味合いのために別の見方を必要としている場合を除いて、用語“備える”もしくは“構成される”又はその語尾変化の用語は、包括的な意味で使用されている。即ち、規定された特徴の存在を明白に示すために使用されており、本発明の種々の実施形態における更なる特徴の存在又は追加を含まないということではない。
【００２９】
本発明の精神もしくは領域から逸脱することなく、前述した種々の部分に対して諸変形及び改変を行うことができる。
【図面の簡単な説明】
【００３０】
【図１】飲料容器キャリヤの好適な実施形態の平面図である。
【図２】図１の飲料容器キャリヤの側面図である。
【図３】図１の飲料容器キャリヤの部分端面図である。
【図１】
2007532424.tif 000003
【図２】
2007532424.tif 000004
【図３】
2007532424.tif 000005
【手続補正書】
【提出日】平成18年2月17日(2006.2.17)
【手続補正１】
【補正対象書類名】特許請求の範囲
【補正対象項目名】全文
【補正方法】変更
【補正の内容】
【特許請求の範囲】
【請求項１】
運ばれる際にほぼ垂直方向を向いた中心面を画定する、長手方向軸線に沿って配置されたハンドルと、複数の区画室とを備えており、
前記区画室の各々が飲料容器を少なくとも１つ支持するように適合していて、運ばれる際に、前記飲料容器の長手方向軸が前記中心面に対して斜めに配置される飲料容器キャリヤ。
【請求項２】
前記区画室の各々が、基部と、前記基部の反対側にある開口と、前記基部及び前記開口の間に延びる区画壁とを備えており、前記開口が、前記基部よりも上方に配置されると共に、前記中心面に対して前記基部より外方に配置されている、請求項１に記載の飲料容器キャリヤ。
【請求項３】
前記区画室が、飲料容器が前記区画室内に置かれた際、中心面に対して２０°〜４０°の角度になるように配置されている、請求項１又は２に記載の飲料容器キャリヤ。
【請求項４】
前記区画室の各々が飲料容器の側面を完全に取り囲むように構成されている、請求項１〜３のいずれか１項に記載の飲料容器キャリヤ。
【請求項５】
前記区画室が前記中心面に対して対称的に配列されている、請求項１〜４のいずれか１項に記載の飲料容器キャリヤ。
【請求項６】
前記区画室が二列に配置され、前記中心面の各側に一列ずつ配列されている、請求項１〜５のいずれか１項に記載の飲料容器キャリヤ。
【請求項７】
前記列各々の区画室が一直線に並べられている、請求項６に記載の飲料容器キャリヤ。
【請求項８】
２つのセクションを備えており、前記セクションの各々が一列の区画室から構成されている、請求項１〜７のいずれか１項に記載の飲料容器キャリヤ。
【請求項９】
前記２つのセクションが同一である、請求項８に記載の飲料容器キャリヤ。
【請求項１０】
前記セクションの各々が前記ハンドルの一部を構成している、請求項８又は９に記載の飲料容器キャリヤ。
【請求項１１】
前記セクションが分離時に積み重ね可能である、請求項８〜１０のいずれか１項に記載の飲料容器キャリヤ。
【請求項１２】
前記区画室の各々が第１サイズの飲料容器を保持する大きさであり、前記区画室の基部のすぐ近くに支持部を備えており、前記支持部がより小さな第２サイズの飲料容器の周りに延びる大きさのカラー状である、請求項１〜１１のいずれか１項に記載の飲料容器キャリヤ。
【請求項１３】
前記キャリヤが射出成形プラスチックから形成されている、請求項１〜１２のいずれか１項に記載の飲料容器キャリヤ。
【請求項１４】
前記プラスチックが紫外線抵抗性添加剤を含む、請求項１３に記載の飲料容器キャリヤ。
【請求項１５】
前記プラスチックが帯電防止添加剤を含む、請求項１３又は１４に記載の飲料容器キャリヤ。
【請求項１６】
各区画室の少なくとも一部が開いた網型構造として形成されている、請求項１〜１５のいずれか１項に記載の飲料容器キャリヤ。
【手続補正２】
【補正対象書類名】明細書
【補正対象項目名】全文
【補正方法】変更
【補正の内容】
【発明の詳細な説明】
【技術分野】
【０００１】
本発明は、ハンドルと複数の区画室とを有し、各区画室が飲料容器、具体的にはボトルの収容に適合している飲料容器キャリヤに関するものである。本発明は、限定はしないが、特にスポーツ競技の際にチームのスポーツボトルを運ぶのに使用するため開発されたものであり、ここではそのような状況を考慮して説明する。しかしながら本発明はそのような使用法に限られるものではないことを理解されたい。
【背景技術】
【０００２】
屋内及び屋外のスポーツ競技時には、チームのコーチやトレーナー等の人物が水その他のスポーツ飲料のボトルを複数保持するようになったキャリヤを持って、競技エリアを走るのがよく見られる。このようなキャリヤは、ハンドルと、対になって配列される偶数個の区画室とを通常有し、各対の区画室は１つずつ、ハンドルが取り付けられた中心面の各側に配列される。典型的なキャリヤ装置は、４,６又は８個の区画室を備え、各区画室がボトルを１つ収容する。
【０００３】
市販されている大部分のボトルキャリヤは鋼線を使用して製作されている。一度製作が完了すると、ボトルキャリヤの鋼線骨格構造はプラスチック樹脂で被覆される。鋼線の被膜によりある程度さび止めされ、ユーザーは多少保護される。このようなボトルキャリヤは、特に屋外で使用される場合、紫外線その他の有害条件の攻撃を受けがちである。製品は、周期的に濡らされてはまた乾燥され、使用中及び運搬中にかなりの物理的損傷を受ける。もともと機械的強度の低いポリマー被膜は、かかる厳しい条件により更に弱体化され、ひび割れや剥離を始め、鋼線を部分的に露出させるようになる。これによりボトルキャリヤの清掃が難しくなり、また露出した鋼線は特に角部で錆び始めるので、ボトルキャリヤを運ぶ人間や、ボトルキャリヤからボトルを受け取るアスリートに負傷の危険を与える。
【０００４】
既存のボトルキャリヤは一般的には単一サイズのボトルしか運べず、また完全に装填した際に低負荷で変形しうるので、ユーザーが気楽に運ぶのは難しい。
【０００５】
コーチ及びトレーナーにとっては、試合の中断を最小にするように競技場に走り込んだり出たりするのが望ましいので、ボトルキャリヤはしばしば高速で搬送される。それゆえボトルキャリヤは、人間工学的に高速の運搬が容易であるように設計されるのが好ましい。
【発明の開示】
【課題を解決するための手段】
【０００６】
本発明は、
運ばれる際にほぼ垂直方向を向いた中心面を画定する、長手方向軸線に沿って配列されたハンドルと、複数の区画室とを備えており、
各区画室が飲料容器を少なくとも１つ支持するように適合していて、運ばれる際に、前記飲料容器の長手方向軸が前記中心面に対して斜めに配置される飲料容器キャリヤを提供する。
【０００７】
運ばれる際に飲料容器が垂直な中心面に対して傾斜し、またハンドルが区画室のすぐ近くに配置されているので、キャリヤは、ボトルが垂直に支持されているものと比較して低い姿勢を有する。このことにより、完全に装填されたとき、特に急いでいる際でも、キャリヤはより容易に運ばれる。
【０００８】
特定の実施形態において、区画室は、運ばれる際に、飲料容器の開口が配置された頂部が上向きに配置されると共に、各飲料容器が中心面から離れる方向に傾斜して並ぶように配列されている。通常、飲料容器の頂部は、アクセスを容易にすると共に漏れを防止するために上向き及び外向きに面していることが好ましい。しかしながら、飲料容器が下向きに面しているような有利な配列も存在しうる。例えば、ボトルがそれらの頂端にテーパ状の形を有している場合には、ハンドルの各側にあるボトルの列は、これらボトルの頂端がクロスオーバーしてコンパクトな梱包配置を提供するように、互い違いに配列されている。
【０００９】
特定の実施形態において、各区画室は、飲料容器の側辺を完全に取り囲むよう構成されている。これにより、キャリヤ運搬中の飲料容器の動きが最小限となる。
【００１０】
一形態において、区画室は二列に配列されており、中心面の各側に一列ずつ配置されている。
【００１１】
二列は相互にずれていてもよいが、区画室が中心面の各側で対称に、各列の区画室が一直線に並んで配列されているのが好ましい。
【００１２】
一形態において、キャリヤは２つのセクションを備えており、各セクションは一列の区画室から構成されている。２つのセクションは同一であることが好ましい。ハンドルは、別個の部品として形成してもよいが、各セクションがハンドルの一部を構成しているのが好ましい。
【００１３】
好適な実施形態において、スナップ式の接続により結合できる２つの同一な半部分により、キャリア全体が構成される。
【００１４】
好適な実施形態において、前記セクションは、分離している際には積み重ねられることができる。従って、分解されている際には、キャリヤのこれらセクションは容易に保管しかつ運搬することができる。
【００１５】
一形態において、各区画室は、第１サイズの飲料容器を保持できる大きさを有し、前記区画室の基部のすぐ近くに支持部を備えている。一形態において、前記支持部はカラー状であり、より小さな第２サイズの飲料容器を取り囲むのに必要な大きさを持つ。これにより、飲料容器キャリヤは、２つの異なるサイズの飲料容器を運ぶのに適応し、支持部が第１の飲料容器のための支持基台と、より小さなサイズの飲料容器のための囲繞支持体とを備え、運搬中の飲料容器の移動を最小限にする。
【００１６】
一形態において、キャリヤは、射出成形プラスチックから形成されている。特定の一形態において、プラスチックは紫外線抵抗性の添加剤をも含む。特定の一形態において、プラスチックは帯電防止添加剤も含む。特定の一形態において、各区画室は一部が開いた網型構造として形成されている。このことにより、キャリヤ内に飲料容器がある際、各飲料容器の外側を簡単に見ることができ、例えば、特定のアスリート用を対象とした飲料容器を容易に識別できるようになる。
【００１７】
ここで添付図面を参照して本発明の実施形態を説明すると都合がよい。図面及び関連記載の詳細事項は、先に述べた本発明の大まかな説明に優先するものではないと理解されたい。
【発明を実施するための最良の形態】
【００１８】
ボトルキャリヤ１の形式の飲料容器キャリヤは、ハンドル２と複数の区画室３とを有し、各区画室３がボトルを１つ収容して支持するように適合している。ハンドル２は中心面Ａ−Ａ’に配置され、前記中心面はボトルキャリヤ１が運ばれる際にほぼ垂直方向を向く。
【００１９】
これら区画室３は、中心面Ａ−Ａ’の各側に一列ずつ、対称的に２列に配列され、各列で区画室３が整列されている。図示した実施形態では、４つの区画室からなる列が２列であるが、ボトルキャリヤは、２つ又は３つの区画室からなる列を２列配置して、４つ又は６つの区画室を有していてもよい。８つを超える区画室を用いてもよいが、そうするとキャリヤは重くなり、運ぶのに扱いにくくなる。
【００２０】
図３に示したように、区画室３には角度が付けられていて、垂直な中心面Ａ−Ａ’に対して区画室３内に置かれたボトル４の長手方向軸Ｂが角度βで傾斜するようになっている。角度βの好ましい範囲は１５°〜４５°であり、より好ましくは２０°〜４０°であり、最適にはほぼ３０°である。区画室３はハンドル２から離れる方向に傾斜しているので、ボトル４の頂部がハンドル２の使用を邪魔することもなく、ハンドル２をより低い位置に配置することができる。このようにして、ハンドル２を、キャリヤ１の重心近くに配置することができる。
【００２１】
各区画室３は、前記区画室３内に置かれたボトル４を支持するための基部５を備え、前記基部５は、より小さなサイズのボトルに適合する寸法に作られたカラー６を有する。より小さなサイズのボトルの底を支持するため、カラー６の下方に支持部７が配置されている。カラー６の周辺が、より小さなサイズのボトルのための囲繞支持体となり、キャリヤ１の運搬時に区画室３内のより小さなサイズのボトルの移動を減じている。
【００２２】
区画室３の外側部分は、開き部８を含む開いた網型構造を有しており、区画室３内にボトルが置かれた際、前記開き部８によりボトル上のラベルが見えるようになっている。
【００２３】
ボトルキャリヤ１は、ポリプロピレンから射出成形されており、前記ポリプロピレンは太陽光線の攻撃からの保護と、埃の引き付けを防止して清掃を容易にするため、紫外線及び帯電防止添加剤を含んでいるのが好ましい。また、射出成形法により、団体やチームのカラー等の様々な色でキャリヤ１を形成できる。また、チームやスポンサーの名称のついたネームプレートをキャリヤ１の外側にクリップ止めすることも可能である。
【００２４】
キャリヤ１は、２つの同一の、対称形の半部分で形成され、この半部分は同一の逆半部分と組立てできるように設計されている。各半部分は、４つの区画室３とハンドル２の半分とを備えており、これら２つの半部分が中心面Ａ−Ａ’に沿って接合される。分離状態時には、簡易な保管及び搬送のため、並びに梱包に要するサイズを減じるために２つの半部分を積み重ねることができる。
【００２５】
ボトルキャリヤ１の２つの半部分をはめ合い部品の穴を介して互いに押し合わせると、一連の突起を用いた位置あわせ細部及びスナップ嵌めが、確実にキャリヤを通常の使用下での組立て状態に留める。スナップ嵌めは、１回のみの組立て用に設計されており、分解のための非破壊的手段を持ってはいない。
【００２６】
先行技術の公報についてのここでの言及は、前記公報が豪州国又はその他の国における当該技術分野で周知の知識の一部を形成することの承認とはならないことを理解されたい。
【００２７】
冒頭の特許請求の範囲及び本発明の以上における記載において、文脈が明白な言葉又は必然的な意味合いのために別の見方を必要としている場合を除いて、用語“備える”もしくは“構成される”又はその語尾変化の用語は、包括的な意味で使用されている。即ち、規定された特徴の存在を明白に示すために使用されており、本発明の種々の実施形態における更なる特徴の存在又は追加を含まないということではない。
【００２８】
本発明の精神もしくは領域から逸脱することなく、前述した種々の部分に対して諸変形及び改変を行うことができる。
【図面の簡単な説明】
【００２９】
【図１】飲料容器キャリヤの好適な実施形態の平面図である。
【図２】図１の飲料容器キャリヤの側面図である。
【図３】図１の飲料容器キャリヤの部分端面図である。
【手続補正書】
【提出日】平成18年7月13日(2006.7.13)
【手続補正１】
【補正対象書類名】特許請求の範囲
【補正対象項目名】請求項１
【補正方法】変更
【補正の内容】
【請求項１】
運ばれる際にほぼ垂直方向を向いた中心面を有する飲料容器キャリヤであって、前記容器が、
前記中心面内で延びる長手方向軸線に沿って配置されるハンドルと、
複数の区画室とを備えており、前記区画室の各々が、基部と、前記基部の反対側にある開口と、前記基部及び前記開口の間に延びる区画壁とを備え、また少なくとも１つの飲料容器の少なくとも下方部分を支持するように適合しており、
前記区画室の少なくとも１つが前記ハンドルの各側に配置されており、前記ハンドルの一方の側にある少なくとも１つの前記区画室の前記開口が前記ハンドルの他方の側にある少なくとも１つの前記開口から間隔をあけるように、前記開口が、対応する前記基部よりも上方に配置され、また、前記中心面に対して前記基部より外方に配置されており、さらに、使用中に、前記区画室内に置かれる飲料容器の長手方向軸が前記中心面に対して斜めに配置されており、
前記ハンドルが前記区画室のすぐ近くに配置されており、前記区画室から突き出る上方部分を持つ飲料容器を前記キャリヤが支持している際、前記区画室の向きと前記区画室開口間の間隔のために、前記ハンドルが使用可能のままである、飲料容器キャリヤ。
【手続補正２】
【補正対象書類名】特許請求の範囲
【補正対象項目名】請求項２
【補正方法】変更
【補正の内容】
【請求項２】
前記区画室が、飲料容器が前記区画室内に置かれる際、中心面に対して１５°〜４５°の角度になるように配置されている、請求項１に記載の飲料容器キャリヤ。
【手続補正３】
【補正対象書類名】明細書
【補正対象項目名】０００６
【補正方法】変更
【補正の内容】
【０００６】
本発明は、運ばれる際にほぼ垂直方向を向いた中心面を有する飲料容器キャリヤであって、前記容器が、
前記中心面内で延びる長手方向軸線に沿って配置されるハンドルと、
複数の区画室とを備えており、前記区画室の各々が、基部と、前記基部の反対側にある開口と、前記基部及び前記開口の間に延びる区画壁とを備え、また少なくとも１つの飲料容器の少なくとも下方部分を支持するように適合しており、
前記区画室の少なくとも１つが前記ハンドルの各側に配置されており、前記ハンドルの一方の側にある少なくとも１つの前記区画室の前記開口が前記ハンドルの他方の側にある少なくとも１つの前記開口から間隔をあけるように、前記開口が、対応する前記基部よりも上方に配置され、また、前記中心面に対して前記基部より外方に配置されており、さらに、使用中に、前記区画室内に置かれる飲料容器の長手方向軸が前記中心面に対して斜めに配置されており、
前記ハンドルが前記区画室のすぐ近くに配置されており、前記区画室から突き出る上方部分を持つ飲料容器を前記キャリヤが支持している際、前記区画室の向きと前記区画室開口間の間隔のために、前記ハンドルが使用可能のままである、飲料容器キャリヤを提供する。
【国際調査報告】
2007532424.tif 000006
2007532424.tif 000007